(57)【要約】【課題】いかなる状態において撮影が実行されてもファイルシステムを最低限保護して、ファイルシステムの安全性を高めることができるようにする。【解決手段】第１の記憶手段に格納された画像データに基づいて、第２の記憶手段へ画像データを実際に格納する場合の管理情報を更新して、上記更新された管理情報をファイル管理領域に書き込むようにして、最終的なＦＡＴデータと同等のデータを、本画像データの書き込み前に記録できるようにすることにより、本画像データを書き込むための記憶容量を正確に決定できるようにして、使用者による記憶媒体の取り外しや、電源を抜いてしまう不測の事態が発生しても、最低限ファイルシステムを保護して、既に撮影済みの画像データがアクセス不可能になることを防止できるようにするとともに、本画像データを書き込むための記憶容量を予想して多めに確保しておく無駄を無くすことができるようにする。【選択図】　　　　図１
2004007731.tif 000002
【特許請求の範囲】
【請求項１】
撮像素子から得られた画像データを一時的に格納する第１の記憶手段と、上記第１の記憶手段に格納されている上記画像データを、着脱可能な第２の記憶手段に画像ファイルとして記録する記録手段とを有する撮像装置において、
上記着脱可能な第２の記憶手段は、上記画像ファイルの管理を行うファイル管理領域と、上記画像ファイルの画像データ本体を格納するデータ領域とに区画され、
上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み手段と、
上記管理情報書き込み手段による書き込みが終了したことに応じて、上記第１の記憶手段に格納されている画像データを上記第２の記憶手段の上記データ領域へ書き込む画像書込み手段とを有することを特徴とする撮像装置。
【請求項２】
撮像素子から得られるアナログ信号の画像信号をデジタル化するとともに所望の形式に変換して画像データを生成する画像データ生成手段と、上記画像データ生成手段によって生成された画像データを一時的に格納する第１の記憶手段と、上記画像データを、着脱可能な第２の記憶手段に画像ファイルとして記録する記録手段とを有する撮像装置において、
上記着脱可能な第２の記憶手段は、上記画像ファイルの管理を行うファイル管理領域と、上記画像ファイルの画像データ本体を格納するデータ領域とで構成されたファイルシステムを有し、
上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み手段と、
上記管理情報書き込み手段による書き込みが終了したことに応じて、上記第１の記憶手段に格納されている画像データを上記第２の記憶手段の上記データ領域へ書き込む画像書込み手段とを有することを特徴とする撮像装置。
【請求項３】
撮像素子から得られるアナログ信号の画像信号をデジタル化するＡ／Ｄ変換手段と、上記Ａ／Ｄ変換手段によってデジタル化された画像信号をデジタル信号処理して、所望の形式の画像データに変換する信号処理手段と、上記信号処理手段により生成された画像データを一時的に格納する第１の記憶手段と、上記第１の記憶手段に格納された画像データを、着脱可能な第２の記憶手段に画像ファイルとして記録する記録手段とを有する撮像装置において、
上記着脱可能な第２の記憶手段は、画像ファイルの管理を行うファイル管理領域と、画像ファイルの画像データ本体を格納するデータ領域とで構成されたファイルシステムを有しており、
上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み手段と、
上記管理情報書き込み手段による書き込みが終了したことに応じて、上記第１の記憶手段に格納されている画像データを上記第２の記憶手段のデータ領域へ書き込む画像書込み手段とを有することを特徴とする撮像装置。
【請求項４】
上記画像ファイルの管理を行うファイル管理領域は、上記画像データのファイル管理情報として上記画像ファイルのエントリ情報、及び上記画像ファイルのデータ本体を格納するデータ領域へのリンク情報のみを含むことを特徴とする請求項１〜３の何れか１項に記載の撮像装置。
【請求項５】
上記画像ファイルの管理を行うファイル管理領域は、上記画像ファイルのデータ本体を格納するデータ領域へのリンク情報を含み、上記画像ファイルの画像データ本体を格納するデータ領域は、上記画像データのファイルのエントリ情報と上記画像ファイルのデータ本体を含み、上記画像データのファイル管理情報として、上記画像ファイルのエントリ情報及び上記画像ファイルのデータ本体を格納するデータ領域へのリンク情報を優先して書き込むことを特徴とする請求項１〜３の何れか１項に記載の撮像装置。
【請求項６】
連続的な撮影が行われたことにより、上記第１の記憶手段に複数の画像データが存在する時には、上記第２の記憶手段に対して未書き込みな画像データ本体部分が存在しても、次の撮影が行われて画像ファイルの作成が行われた時には、新たに作成された画像データのファイル管理情報の書き込みを優先させて行い、上記ファイル管理情報の書き込みが完了してから、残りの未書き込みな画像データ本体部分を書き込むことを特徴とする請求項１〜５の何れか１項に記載の撮像装置。
【請求項７】
上記ファイル管理情報の書き込みが完了してから、残りの未書き込みな画像データ本体部分を書き込む際に連続的に書きこむことを特徴とする請求項６に記載の撮像装置。
【請求項８】
電源を抜かれても上記管理情報を持つ事が可能な第３の記憶手段を有し、撮影した画像データのファイル管理情報を上記第３の記憶手段にも記憶しておくことを特徴とする請求項１〜７の何れか１項に記載の撮像装置。
【請求項９】
上記第３の記憶手段は、画像データのファイル管理情報のみを持つだけの少量の記憶手段であり、上記画像データ本体部分を持たないことを特徴とする請求項８に記載の撮像装置。
【請求項１０】
撮像素子から得られた画像データを一時的に格納する第１の記憶手段と、上記第１の記憶手段に格納されている上記画像データを、着脱可能な第２の記憶手段に画像ファイルとして記録する記録手段とを有する撮像装置における画像データの記憶方法において、
上記着脱可能な第２の記憶手段は、上記画像ファイルの管理を行うファイル管理領域と、上記画像ファイルの画像データ本体を格納するデータ領域とに区画され、
上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み処理と、
上記管理情報書き込み処理による書き込みが終了したことに応じて、上記第１の記憶手段に格納されている画像データを上記第２の記憶手段の上記データ領域へ書き込む画像書込み処理とを有することを特徴とする撮像装置における画像データの記憶方法。
【請求項１１】
撮像素子から得られるアナログ信号の画像信号をデジタル化するとともに所望の形式に変換して画像データを生成する画像データ生成手段と、上記画像データ生成手段によって生成された画像データを一時的に格納する第１の記憶手段と、上記画像データを、着脱可能な第２の記憶手段に画像ファイルとして記録する記録手段とを有する撮像装置における画像データの記憶方法において、
上記着脱可能な第２の記憶手段は、上記画像ファイルの管理を行うファイル管理領域と、上記画像ファイルの画像データ本体を格納するデータ領域とで構成されたファイルシステムを有し、
上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み処理と、
上記管理情報書き込み処理による書き込みが終了したことに応じて、上記第１の記憶手段に格納されている画像データを上記第２の記憶手段の上記データ領域へ書き込む画像書込み処理とを有することを特徴とする撮像装置における画像データの記憶方法。
【請求項１２】
撮像素子から得られるアナログ信号の画像信号をデジタル化するＡ／Ｄ変換手段と、上記Ａ／Ｄ変換手段によってデジタル化された画像信号をデジタル信号処理して、所望の形式の画像データに変換する信号処理手段と、上記信号処理手段により生成された画像データを一時的に格納する第１の記憶手段と、上記第１の記憶手段に格納された画像データを、着脱可能な第２の記憶手段に画像ファイルとして記録する記録手段とを有する撮像装置における画像データの記憶方法において、
上記着脱可能な第２の記憶手段は、画像ファイルの管理を行うファイル管理領域と、画像ファイルの画像データ本体を格納するデータ領域とで構成されたファイルシステムを有しており、
上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み処理と、
上記管理情報書き込み処理による書き込みが終了したことに応じて、上記第１の記憶手段に格納されている画像データを上記第２の記憶手段のデータ領域へ書き込む画像書込み処理とを有することを特徴とする撮像装置における画像データの記憶方法。
【請求項１３】
上記画像ファイルの管理を行うファイル管理領域は、上記画像データのファイル管理情報として上記画像ファイルのエントリ情報、及び上記画像ファイルのデータ本体を格納するデータ領域へのリンク情報のみを含むことを特徴とする請求項１０〜１２の何れか１項に記載の撮像装置における画像データの記憶方法。
【請求項１４】
上記画像ファイルの管理を行うファイル管理領域は、上記画像ファイルのデータ本体を格納するデータ領域へのリンク情報を含み、上記画像ファイルの画像データ本体を格納するデータ領域は、上記画像データのファイルのエントリ情報と上記画像ファイルのデータ本体を含み、上記画像データのファイル管理情報として、上記画像ファイルのエントリ情報及び上記画像ファイルのデータ本体を格納するデータ領域へのリンク情報を優先して書き込むことを特徴とする請求項１０〜１２の何れか１項に記載の撮像装置における画像データの記憶方法。
【請求項１５】
連続的な撮影が行われたことにより、上記第１の記憶手段に複数の画像データが存在する時には、上記第２の記憶手段に対して未書き込みな画像データ本体部分が存在しても、次の撮影が行われて画像ファイルの作成が行われた時には、新たに作成された画像データのファイル管理情報の書き込みを優先させて行い、上記ファイル管理情報の書き込みが完了してから、残りの未書き込みな画像データ本体部分を書き込むことを特徴とする請求項１０〜１３の何れか１項に記載の撮像装置における画像データの記憶方法。
【請求項１６】
上記ファイル管理情報の書き込みが完了してから、残りの未書き込みな画像データ本体部分を書き込む際に連続的に書きこむことを特徴とする請求項１５に記載の撮像装置における画像データの記憶方法。
【請求項１７】
電源を抜かれても上記管理情報を持つ事が可能な第３の記憶手段を有し、撮影した画像データのファイル管理情報を上記第３の記憶手段にも記憶しておくことを特徴とする請求項１０〜１６の何れか１項に記載の撮像装置における画像データの記憶方法。
【請求項１８】
上記第３の記憶手段は、画像データのファイル管理情報のみを持つだけの少量の記憶処理であり、上記画像データ本体部分を持たないことを特徴とする請求項１７に記載の撮像装置における画像データの記憶方法。
【請求項１９】
上記請求項１０〜１８の何れか１項に記載の撮像装置における画像データの記憶方法を実行するプログラムを格納したことを特徴とするコンピュータ読み取り可能な記憶媒体。
【発明の詳細な説明】
【０００１】
【発明の属する技術分野】
本発明は撮像装置、撮像装置における画像データの記憶方法及び記憶媒体に関し、特に、撮像装置における画像データのファイルシステムヘの記憶手順、及びファイルシステムの保護に関するものである。
【０００２】
【従来の技術】
デジタル信号化された画像信号をデジタル信号処理して、所望の形式の画像データに変換した後、画像データを第１の記憶手段に一時的に格納しておき、その後に上記画像データを最終的に格納する着脱可能な第２の記憶手段（以下記憶媒体と称する）に格納するようにした撮像装置が知られている。
【０００３】
上述のように構成された撮像装置において、上記着脱可能な記憶媒体は、第１の領域と第２の領域とに区画され、上記第１の領域を画像データファイルの管理を行う管理領域としてもちいられる。また、上記第２の領域は画像データファイルの画像データ本体を格納するデータ領域（クラスタ領域）として用いられ、上記ファイル管理領域と上記データ領域とでファイルシステムを構成している。
【０００４】
撮影を行うことにより得られた画像データは一時的に主メモリに記憶される。上記主メモリに一時的に格納された画像データは画像ファイル形式として、撮影動作とは非同期に記憶媒体に格納される。
【０００５】
【発明が解決しようとする課題】
撮像装置における画像データのサイズは、撮像素子の画素数増加に伴い増大する傾向にある。また、撮像装置の速写性能の向上や、撮影間隔の短縮化により、主メモリに大量の画像データを一時的に記憶しておき、記憶媒体へ順次書き込みを行っている。
【０００６】
一般的に、記憶媒体への書き込み速度は、速写性能の向上や、撮影間隔の短縮化により撮影動作に間に合わない状況にある。また、書き込み速度の遅い記憶媒体を利用した場合も、撮影実施後、数秒間、主メモリに残った未書き込みの画像データを記憶媒体への書き込みが行われている。
【０００７】
撮像装置の使用者としては、撮影が完了した時点で、画像データがファイルに書き込まれているものとして、記憶媒体を撮像装置から取り外したり、電源を抜いたりする可能性が多分にある。
【０００８】
しかし、従来の画像ファイルの書き込みでは、画像ファイルの管理情報の書き込みは、撮影完了後、主メモリに格納されている画像データのファイル書き込み完了時まで行われるので、撮像装置使用者が画像ファイルの管理情報の書き込み中に誤って記憶媒体を取り外したり、電池を抜いたりすることにより、記憶媒体上のファイルシステムを破壊する可能性が大きかった。
【０００９】
上述のようにして、ファイルシステムが破壊された場合には、以前撮影した画像データのアクセスも不可能になってしまう問題があった。撮影完了後に、所定のタイミングとなる前に、記憶媒体を抜き取ると、ファイルシステムを破壊する可能性があった。
【００１０】
また、電源の残容量が少ないために、全ての画像データを記憶媒体に書き込むことができずに、画像ファイルの管理情報の書き込み中に電源が落ちてしまい、ファイルシステムを破壊する可能性も大きかった。
【００１１】
従来は、このような可能性に対して、取扱説明書で、撮像装置の使用者に注意を呼びかけたり、主モリ上の未書き込み画像データをバックアップしたりする等の方法が考えられてきた。
【００１２】
しかし、撮像装置の使用者は、誤って記憶媒体を取り外したり、電源を抜いたりすることもあった。また、画像データを主メモリ上にバックアップするためには、大きな電力を消費するので、小型の撮像装置には不向きであった。
【００１３】
本発明は上述の問題点にかんがみ、いかなる状態において撮影が実行されてもファイルシステムを最低限保護することができるようにして、ファイルシステムの安全性を高めることを目的とする。
【００１４】
【課題を解決するための手段】
本発明の撮像装置は、撮像素子から得られた画像データを一時的に格納する第１の記憶手段と、上記第１の記憶手段に格納されている上記画像データを、着脱可能な第２の記憶手段に画像ファイルとして記録する記録手段とを有する撮像装置において、上記着脱可能な第２の記憶手段は、上記画像ファイルの管理を行うファイル管理領域と、上記画像ファイルの画像データ本体を格納するデータ領域とに区画され、上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み手段と、上記管理情報書き込み手段による書き込みが終了したことに応じて、上記第１の記憶手段に格納されている画像データを上記第２の記憶手段の上記データ領域へ書き込む画像書込み手段とを有することを特徴としている。
また、本発明の他の特徴とするところは、撮像素子から得られるアナログ信号の画像信号をデジタル化するとともに所望の形式に変換して画像データを生成する画像データ生成手段と、上記画像データ生成手段によって生成された画像データを一時的に格納する第１の記憶手段と、上記画像データを、着脱可能な第２の記憶手段に画像ファイルとして記録する記録手段とを有する撮像装置において、上記着脱可能な第２の記憶手段は、上記画像ファイルの管理を行うファイル管理領域と、上記画像ファイルの画像データ本体を格納するデータ領域とで構成されたファイルシステムを有し、上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み手段と、上記管理情報書き込み手段による書き込みが終了したことに応じて、上記第１の記憶手段に格納されている画像データを上記第２の記憶手段の上記データ領域へ書き込む画像書込み手段とを有することを特徴としている。
また、本発明のその他の特徴とするところは、撮像素子から得られるアナログ信号の画像信号をデジタル化するＡ／Ｄ変換手段と、上記Ａ／Ｄ変換手段によってデジタル化された画像信号をデジタル信号処理して、所望の形式の画像データに変換する信号処理手段と、上記信号処理手段により生成された画像データを一時的に格納する第１の記憶手段と、上記第１の記憶手段に格納された画像データを、着脱可能な第２の記憶手段に画像ファイルとして記録する記録手段とを有する撮像装置において、上記着脱可能な第２の記憶手段は、画像ファイルの管理を行うファイル管理領域と、画像ファイルの画像データ本体を格納するデータ領域とで構成されたファイルシステムを有しており、上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み手段と、上記管理情報書き込み手段による書き込みが終了したことに応じて、上記第１の記憶手段に格納されている画像データを上記第２の記憶手段のデータ領域へ書き込む画像書込み手段とを有することを特徴としている。
また、本発明のその他の特徴とするところは、上記画像ファイルの管理を行うファイル管理領域は、上記画像データのファイル管理情報として上記画像ファイルのエントリ情報、及び上記画像ファイルのデータ本体を格納するデータ領域へのリンク情報のみを含むことを特徴としている。
また、本発明のその他の特徴とするところは、上記画像ファイルの管理を行うファイル管理領域は、上記画像ファイルのデータ本体を格納するデータ領域へのリンク情報を含み、上記画像ファイルの画像データ本体を格納するデータ領域は、上記画像データのファイルのエントリ情報と上記画像ファイルのデータ本体を含み、上記画像データのファイル管理情報として、上記画像ファイルのエントリ情報及び上記画像ファイルのデータ本体を格納するデータ領域へのリンク情報を優先して書き込むことを特徴としている。
また、本発明のその他の特徴とするところは、連続的な撮影が行われたことにより、上記第１の記憶手段に複数の画像データが存在する時には、上記第２の記憶手段に対して未書き込みな画像データ本体部分が存在しても、次の撮影が行われて画像ファイルの作成が行われた時には、新たに作成された画像データのファイル管理情報の書き込みを優先させて行い、上記ファイル管理情報の書き込みが完了してから、残りの未書き込みな画像データ本体部分を書き込むことを特徴としている。
また、本発明のその他の特徴とするところは、上記ファイル管理情報の書き込みが完了してから、残りの未書き込みな画像データ本体部分を書き込む際に連続的に書きこむことを特徴としている。
また、本発明のその他の特徴とするところは、電源を抜かれても上記管理情報を持つ事が可能な第３の記憶手段を有し、撮影した画像データのファイル管理情報を上記第３の記憶手段にも記憶しておくことを特徴としている。
また、本発明のその他の特徴とするところは、上記第３の記憶手段は、画像データのファイル管理情報のみを持つだけの少量の記憶手段であり、上記画像データ本体部分を持たないことを特徴としている。
【００１５】
本発明の撮像装置における画像データの記憶方法は、撮像素子から得られた画像データを一時的に格納する第１の記憶手段と、上記第１の記憶手段に格納されている上記画像データを、着脱可能な第２の記憶手段に画像ファイルとして記録する記録手段とを有する撮像装置における画像データの記憶方法において、上記着脱可能な第２の記憶手段は、上記画像ファイルの管理を行うファイル管理領域と、上記画像ファイルの画像データ本体を格納するデータ領域とに区画され、
上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み処理と、上記管理情報書き込み処理による書き込みが終了したことに応じて、上記第１の記憶手段に格納されている画像データを上記第２の記憶手段の上記データ領域へ書き込む画像書込み処理とを有することを特徴としている。
また、本発明の他の特徴とするところは、撮像素子から得られるアナログ信号の画像信号をデジタル化するとともに所望の形式に変換して画像データを生成する画像データ生成手段と、上記画像データ生成手段によって生成された画像データを一時的に格納する第１の記憶手段と、上記画像データを、着脱可能な第２の記憶手段に画像ファイルとして記録する記録手段とを有する撮像装置における画像データの記憶方法において、上記着脱可能な第２の記憶手段は、上記画像ファイルの管理を行うファイル管理領域と、上記画像ファイルの画像データ本体を格納するデータ領域とで構成されたファイルシステムを有し、上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み処理と、上記管理情報書き込み処理による書き込みが終了したことに応じて、上記第１の記憶手段に格納されている画像データを上記第２の記憶手段の上記データ領域へ書き込む画像書込み処理とを有することを特徴としている。
また、本発明のその他の特徴とするところは、撮像素子から得られるアナログ信号の画像信号をデジタル化するＡ／Ｄ変換手段と、上記Ａ／Ｄ変換手段によってデジタル化された画像信号をデジタル信号処理して、所望の形式の画像データに変換する信号処理手段と、上記信号処理手段により生成された画像データを一時的に格納する第１の記憶手段と、上記第１の記憶手段に格納された画像データを、着脱可能な第２の記憶手段に画像ファイルとして記録する記録手段とを有する撮像装置における画像データの記憶方法において、上記着脱可能な第２の記憶手段は、画像ファイルの管理を行うファイル管理領域と、画像ファイルの画像データ本体を格納するデータ領域とで構成されたファイルシステムを有しており、上記第１の記憶手段に格納された上記画像データに基づいて、上記第２の記憶手段へ画像データを格納する場合の管理情報を更新して、上記更新された上記管理情報を上記ファイル管理領域に書き込む管理情報書き込み処理と、上記管理情報書き込み処理による書き込みが終了したことに応じて、上記第１の記憶手段に格納されている画像データを上記第２の記憶手段のデータ領域へ書き込む画像書込み処理とを有することを特徴としている。
また、本発明のその他の特徴とするところは、上記画像ファイルの管理を行うファイル管理領域は、上記画像データのファイル管理情報として上記画像ファイルのエントリ情報、及び上記画像ファイルのデータ本体を格納するデータ領域へのリンク情報のみを含むことを特徴としている。
また、本発明のその他の特徴とするところは、上記画像ファイルの管理を行うファイル管理領域は、上記画像ファイルのデータ本体を格納するデータ領域へのリンク情報を含み、上記画像ファイルの画像データ本体を格納するデータ領域は、上記画像データのファイルのエントリ情報と上記画像ファイルのデータ本体を含み、上記画像データのファイル管理情報として、上記画像ファイルのエントリ情報及び上記画像ファイルのデータ本体を格納するデータ領域へのリンク情報を優先して書き込むことを特徴としている。
また、本発明のその他の特徴とするところは、連続的な撮影が行われたことにより、上記第１の記憶手段に複数の画像データが存在する時には、上記第２の記憶手段に対して未書き込みな画像データ本体部分が存在しても、次の撮影が行われて画像ファイルの作成が行われた時には、新たに作成された画像データのファイル管理情報の書き込みを優先させて行い、上記ファイル管理情報の書き込みが完了してから、残りの未書き込みな画像データ本体部分を書き込むことを特徴としている。
また、本発明のその他の特徴とするところは、上記ファイル管理情報の書き込みが完了してから、残りの未書き込みな画像データ本体部分を書き込む際に連続的に書きこむことを特徴としている。
また、本発明のその他の特徴とするところは、電源を抜かれても上記管理情報を持つ事が可能な第３の記憶手段を有し、撮影した画像データのファイル管理情報を上記第３の記憶手段にも記憶しておくことを特徴としている。
また、本発明のその他の特徴とするところは、上記第３の記憶手段は、画像データのファイル管理情報のみを持つだけの少量の記憶処理であり、上記画像データ本体部分を持たないことを特徴としている。
【００１６】
本発明の記憶媒体は、上記に記載の撮像装置における画像データの記憶方法を実行するプログラムを格納したことを特徴としている。
【００１７】
【発明の実施の形態】
以下、添付図面を参照しながら本発明の撮像装置、撮像装置における画像データの記憶方法及び記憶媒体の実施の形態を説明する。
図１は、一般的な撮像装置の構成を示すブロック図であり、図２は、本実施の形態で取り扱うファイルシステムの記憶媒体１０５の内部構成、及びファイルの管理方法を示したものである（ＭＳ−ＤＯＳのファイルシステム）。図３は、撮影動作を制御するタスクのフローチャートである。図４は、本実施の形態におけるファイルの書き込み手順を示すフローチャートである。図５は、本実施の形態におけるファイル書き込みのタイミングを示したものである。
【００１８】
図１に示すように、本実施の形態の撮像装置１００は、撮像素子１０１から得られるアナログ信号をデジタル信号化するＡ／Ｄ変換手段１０２と、デジタル信号化された画像信号をデジタル信号処理して、所望の形式の画像データに変換する信号処理手段１０３と、信号処理手段により、生成された画像データを一時的に格納する第１の記憶手段１０４（以下、主メモリと称する）と、画像データを最終的に格納する着脱可能な第２の記憶手段１０５（以下、記憶媒体と称する）、各部の動作を制御するＣＰＵ１０６とによりが構成されている。
【００１９】
上述のように構成された撮像装置１００において、上記着脱可能な記憶媒体１００は、図２に示すように、画像データファイル１１１の管理を行う管理領域２１０（以下、管理領域と称する）と、画像データファイルの画像データ本体を格納するデータ領域２２０（以下、クラスタ領域と称する）とで構成されたファイルシステムを有している。
【００２０】
そして、撮影を行うことにより、撮像素子１０１から得られたアナログ信号データは、Ａ／Ｄ変換器１０２により、デジタル化され、デジタル信号処理を行った後、所望の形式の画像データ１１０として、主メモリ１０４に一時的に記憶される。主メモリ１０４に一時的に格納された画像データ１１０は、記憶媒体１０５に撮影動作とは非同期に、画像ファイル形式１１１として格納される。
【００２１】
この時、画像データファイル１１１の記憶媒体１０５への書き込み動作は、図７のフローチャートに示す通りの手順で行われる。すなわち、撮影動作を行うとファイル書き込みタスク６００が開始され、最初に画像データが登録される（ステップＳ６０１）。
【００２２】
次に、画像データの登録有無が判定され（ステップＳ６０２）、登録が無い場合にはステップ６０１に戻り、有る場合には管理領域２１０からＦＡＴ情報を主メモリに読み出し（ステップＳ６０３）、空き領域（空きクラスタ領域）を検索する。
【００２３】
続いて、画像データファイルのディレクトリエントリを格納するクラスタのデータを主メモリ上に読み出し（ステップＳ６０４）、追加する画像データファイルのディレクトリエントリを書き込み、このクラスタデータを元のクラスタヘ書き戻し（ステップＳ６０５）、ＦＡＴの更新及びＦＡＴの書き込みを行う（ステップＳ６０６）。（記憶媒体上に、ファイルが作成された状態）（図８において、▲１▼の操作）。
【００２４】
次に、画像データのデータ本体部分を記憶媒体上に書き込むため（図８において▲７▼の操作）、主メモリに読み出したＦＡＴ情報から空きクラスタ領域を検索し、該当する記憶媒体上の空きクラスタ領域に画像データ本体部分を順次書き込み（ステップＳ６０７）つつ、主メモリ上のＦＡＴ情報（ＦＡＴのリンク情報）を更新する（ステップＳ６０８）。
【００２５】
次に、データ終了か否かを判断し（ステップＳ６０９）、画像データのデータ本体部分を全て記憶媒体上に書き込み終わると、主メモリー上に保持している、画像ファイルのディレクトリエントリのＦＡＴエントリ（最初のクラスタヘのリンク情報）を設定し、画像ファイルのサイズを設定して（ステップＳ６１０）、このディレクトリエントリを含むクラスタデータを元のクラスタヘ書き戻す（ステップＳ６１１）。
【００２６】
（記憶媒体上に、ファイルが作成され、ＦＡＴのリンクが確立し、画像ファイルサイズも確定した状態）最後に、主メモリ上にある、更新されたＦＡＴ情報を記憶媒体の所定の管理領域へ書き戻す（ステップＳ６１２）ことによって、一連のファイル書き込み動作は完了する（図８における、▲２▼の操作）。
【００２７】
撮像装置１００において、連続して撮影を行うと、主メモリに複数の画像データが蓄積し（７００）、順次記憶媒体に画像ファイルとして書き込む時に、タイミング７１０に示すように、上記画像ファイルの作成、データ書き込み、ファイルクローズのサイクルが繰り返される。
【００２８】
撮像装置における画像データのサイズは、撮像素子１０１の画素数増加に伴い増大する傾向にあり、また、撮像装置の速写性能の向上や、撮影間隔の短縮化により、主メモリに大量の画像データを一時的に記憶しておき（７００）、記憶媒体へ順次書き込みを行っている（７１０）。
【００２９】
一般的に、記憶媒体への書き込み速度は、速写性能の向上や、撮影間隔の短縮化により撮影動作に間に合わない状況にあり、また、書き込み速度の遅い記憶媒体を利用した場合も、撮影実施後、数秒間、主メモリに残った未書き込みの画像データを記憶媒体への書き込みが行われている。
【００３０】
撮像装置の使用者としては、撮影が完了した時点で、画像データがファイルに書き込まれているものとして、記憶媒体を撮像装置から取り外したり、電源を抜いたりする可能性が多分にある。
【００３１】
画像データファイルを順次記憶媒体へ書き込むため、画像ファイルの管理情報の書き込みは、撮影完了後に、主メモリに格納されている画像データのファイル書き込み完了時まで行われる（図８の７１０の▲２▼、▲４▼、▲６▼）。
【００３２】
したがって、撮像装置使用者が画像ファイルの管理情報の書き込み中に誤って記憶媒体を取り外したり、電池を抜いたりすることにより、記憶媒体上のファイルシステムを破壊する可能性が大きかった。上記のように、ファイルシステムが破壊された場合には、以前撮影した画像データのアクセスも不可能になってしまう。
【００３３】
すなわち、撮影完了後、図８の７１０における▲６▼のタイミング（最後の画像データ３のファイルのクローズ）までに、記憶媒体１０５を抜き取ると、ファイルシステムを破壊する可能性があることになる。
【００３４】
また、電源の残容量が少ないために、全ての画像データを記憶媒体に書き込むことができずに、画像ファイルの管理情報の書き込み中に電源が落ちてしまい、ファイルシステムを破壊する可能性も大きかった。
【００３５】
従来は、このような可能性に対して、取扱説明書で、撮像装置の使用者に注意を呼びかけたり、主メモリ上の未書き込み画像データをバックアップしたりする等の方法が考えられてきた。
【００３６】
しかし、撮像装置の使用者は、誤って記憶媒体を取り外したり、電源を抜いたりすることもあった。また、画像データを主メモリ上にバックアップするためには、大きな電力を消費するので、小型の撮像装置には不向きであった。
【００３７】
次に、図３のフローチャートを参照しながら、撮像装置１００の撮影タスクについて説明する。
撮影動作を行うと、撮影タスク３００が開始され、撮像装置１００はＣＰＵ（中央演算処理装置）１０６により制御され、撮影開始のスイッチを検出する（ステップＳ３０１）。次に、上記検出したスイッチが有効か否かを判定し（ステップＳ３０２）、有効の場合には撮影動作（ステップＳ３０３）を行う。
【００３８】
撮影動作が開始されると、撮像素子１０１からアナログ信号が得られ、この信号をＡ／Ｄ変換器１０２によりデジタル信号に変換する（ステップＳ３０４）。次に、デジタル信号に変換された信号データは、デジタル信号処理手段１０３により処理され（ステップＳ３０５）、所望の画像形式のデータ１１０が主メモリ１０４に生成される（ステップＳ３０６）。
【００３９】
撮影タスク３００は、画像データ１１０が主メモリ１０４に準備できると、ファイル書き込みタスク４００に対して、画像データの登録（ファイル書き込み要求）を発行する（ステップＳ３０７）。撮影タスク３００は、次の撮影開始スイッチの待ち状態となる。上記撮影タスク３００は、ファイル書き込みタスク４００とは、非同期に動作している。
【００４０】
次に、図４のフローチャートを参照しながらファイル書き込みタスク４００について説明する。
ファイル書き込みタスク４００は、画像データの登録（ファイル書き込み要求）を待っており（ステップＳ４０１、ステップＳ４０２）、撮影タスク３００が画像データの登録（ステップＳ３０７）を行うことにより、ファイルの作成動作（図６の５１０の▲１▼）を開始する。
【００４１】
ファイルの作成動作では、記憶媒体１０５のＦＡＴ領域２１１からＦＡＴ読み出しを行い（ステップＳ４０３）、新たに作成する画像ファイルのディレクトリエントリを格納するクラスタデータを読み出す（ステップＳ４０４）。読み出したクラスタデータに、新たに作成する画像ファイルのディレクトリエントリを作成し、クラスタ領域２１１に書き戻す（ステップＳ４０５）。
【００４２】
この時、ＦＡＴが更新された場合には、主メモリ上のＦＡＴ更新を行い、更新されたＦＡＴを記憶媒体１０５のＦＡＴ領域２１１に書き込む（ステップＳ４０６）。ファイルの作成動作に続いて、画像データの書き込み動作が実行される。
【００４３】
本実施の形態における画像データの書き込み動作では、実際に記憶媒体１０５へのクラスタ書き込みは行わずに、データ書き込み情報を主メモリ１０４へ登録し（ステップＳ４０７）、主メモリ上のＦＡＴの更新（ステップＳ４０８）を行い、画像データが終了するまで繰り返し行われる（ステップＳ４０９）。
【００４４】
この操作は、主メモリ上（１０４）で行われるため、記憶媒体１０５への書き込みは一切行わないため、瞬時に終了する。画像データの書き込み動作が完了した時点で、主メモリ（１０４）上のＦＡＴは、画像データ書き込み完了時の最終的なＦＡＴデータと同等になっている。
【００４５】
データ書き込みが完了すると、ファイルクローズ動作（図６の５１０の▲２▼）を開始する。主メモリ（１０４）上のディレクトリエントリに対して、先頭のクラスタ情報及び、画像ファイルサイズを更新して（ステップＳ４１０）、主メモリ（１０４）上の更新されたディレクトリエントリを含むクラスタデータをクラスタ領域２１１に書き戻す（ステップＳ４１１）。続いて、最終的に更新された主メモリ（１０４）上のＦＡＴデータを記憶媒体１０５のＦＡＴ領域２１１に書き込む（ステップＳ４１２）。
【００４６】
この状態で、画像ファイルとして、ファイルシステム上は完成した形となるが、画像データ本体は記憶媒体１０５に書き込まれていない。しかし、ファイルシステムとして、矛盾が無いため、記憶媒体１０５を抜いた場合でも、ファイルシステムが破壊されることはない。
【００４７】
以上で画像ファイルの管理領域の記憶媒体への書き込みが完了したので、続いて画像データ本体部分の記憶媒体への書き込みを開始する。但し、画像データ１１０が主メモリ１０４上に複数存在する場合（図６の５００）は、画像ファイル（画像２、画像３）の管理領域の記憶媒体１０５への書き込みを優先させるため、上記シーケンス（ステップＳ４０３〜ステップＳ４１２）を繰り返し行う。（図６の５１０の▲３▼、▲４▼、▲５▼、▲６▼）主メモリ１０４の画像データ１１０（図６の５００の画像１、画像２、画像３）のファイル管理領域の書き込みが完了すると、画像データ本体の書き込みを開始する。
【００４８】
ファイル書き込みタスク４００において、画像データ登録が無いので、図５のフローチャートに示すように、データ書き込み情報の取得が実行される（ステップＳ４２１）。画像データ本体が、記憶媒体１０５へ未書き込みである場合、データ書き込み情報が存在するか否かを判断し（ステップＳ４２２）、情報が存在する場合には、実際のデータ書き込み（クラスタデータ書き込み）を実行し（ステップＳ４２３）、主メモリ上のデータ書き込み情報を解放（無効）にする（ステップＳ４２４）。
【００４９】
画像データの書き込みは、データ書き込み情報が全て無効になるまで、繰り返し実行される。（図６の５１０の▲７▼、▲８▼、▲９▼）画像データを書き込んでいる状態（図６における５１０の▲７▼、▲８▼、▲９▼）では、撮像装置の使用者が、誤って記憶媒体を抜き取ってしまったり、電源を抜いてしまったりした場合、画像データ本体は未書き込みなデータが存在するため、画像データ本体は正しくないが、ファイルの管理情報は、正しい値であるため、ファイルシステムとしては破壊されることはない。
【００５０】
本実施の形態において、主メモリ１０４に複数の画像データ１１０（画像１、画像２、画像３）が存在する時に、ファイルシステムを破壊する可能性があるタイミングは、５１０の▲１▼〜▲６▼の状態であり、従来例に比較して、短時間となっている。
【００５１】
上記タイミングに加え、画像データ本体の書き込み途中で、撮影が行われた時のタイミングをタイミング２（図６の５２０）に示す。タイミング２（図６の５２０）では、主メモリ１０４に画像１、画像２が既に存在しており、ファイル書き込みタスク４００は、画像１の管理データの書き込み（図６の５２０の▲１▼、▲２▼）、画像２の管理データの書き込み（図６の５２０の▲３▼、▲４▼）、画像１の画像データ本体の書き込み（図６の５２０の▲７▼）が既に完了している。
【００５２】
画像２の画像データ本体を書き込んでいる途中の（図６の５２０の▲８▼）状態で、撮影タスク３００において、撮影動作が行われると、主メモリ１０４に新たに画像３が生成され（ステップＳ３０６）、ファイル書き込みタスクヘ画像３のデータ登録が行われる（ステップＳ３０７）。
【００５３】
ファイル書き込みタスク４００は、画像２の画像データ書き込み実行中（ステップＳ４２３）であるが、現在のクラスタデータ書き込みが完了すると、データ書き込みを解放して（ステップＳ４２４）、画像データの登録取得を行う（ステップＳ４０１）。
【００５４】
この時、上記により、画像３に対する画像データ登録が既に行われているので、画像データ登録はある状態となる（ステップＳ４０２）。したがって、画像３に対するファイルの作成処理▲５▼が実行され、ＦＡＴの読み出し（ステップＳ４０３）から、画像３に対するファイルのクローズ処理▲６▼まで（ＦＡＴ更新書き込み（ステップＳ４１２））が実行される。
【００５５】
画像３に対するファイルの管理領域の書き込み（図６の５２０の▲５▼、▲６▼）が完了すると、画像データ登録取得が行われ（ステップＳ４０１）、新たな画像データが存在しないので（ステップＳ４０２）、中断していた画像２のデータ書き込み処理（図６の５２０の▲８▼）を継続する（ステップＳ４２１）。
【００５６】
画像データ書き込み情報は、画像２の残り部分と、画像３の本体部分があり、データ書き込み情報取得（ステップＳ４２１）からデータ書き込みの実行（ステップＳ４２３）、データ書き込み情報解放（ステップＳ４２４）を繰り返す。
【００５７】
上記の場合、画像２のデータ書き込み中に新たに撮影を行い、画像３が主メモリ１０４上に生成されると、画像２のデータ書き込み（図６の５２０の▲８▼）を中断して、画像３のファイル管理情報書き込み（図６の５２０の▲５▼、▲６▼）を優先して行うため、画像３のファイル管理情報の書き込みが完了した時点（図６の５２０の▲６▼）で、ファイルシステムとしては正しいので、この状態で撮像装置の使用者が誤って、記憶媒体１０５を取り外してしまったり、電源を抜いてしまっても、ファイルシステムを破壊することはない。
【００５８】
［第２の実施の形態］
本実施の形態では、上述した第１の実施の形態における主メモリ（１０４）の一部をバックアップ可能な第３の記憶手段として割り当てることにより、主メモリ１０４に画像データ１１０が存在し、対応する画像ファイルの管理情報を記憶媒体に書き込んでいる途中で、記憶媒体を取り外してしまった時や、電源を抜いてしまった時にも画像ファイルの管理情報を上記バックアップ領域に持つことにより、保証するものである。
【００５９】
図９は、本実施の形態における主メモリ１０４の構造を示したものである。図８において、主メモリ１０４は、バックアップ可能なメモリ８００と、揮発性の画像データ領域８１０を含む構成である。バックアップ可能メモリ８００は、更に内部をＦＡＴ読み込み領域８０１と、ディレクトリ管理領域８０２と記憶媒体への書き込み管理情報８０３に分割されている。
【００６０】
撮影を実行した後、主メモリ１０４の画像データ領域８１０に画像データ１１０が生成され、ファイル書き込みタスク４００に画像データ登録が行われると、画像ファイルの作成処理が開始される。
【００６１】
画像ファイルの作成処理では、記憶媒体１０５からＦＡＴ読み込み領域８０１へＦＡＴ読み出しを行う（ステップＳ４０３）。この状態で、記憶媒体への書き込み管理情報８０３は、未書き込み状態となる。
【００６２】
続いて、ディレクトリエントリを記憶媒体１０５からディレクトリ管理領域へ読み出しを行う（ステップＳ４０５）。新たに作成したファイルのディレクトリエントリを記憶媒体１０５へ書き込む際に、記憶媒体への書き込み管理情報８０３は、書き込み中状態となり、ＦＡＴ読み込み領域８０１とディレクトリ管理領域８０２がバックアップされた状態となる。
【００６３】
ＦＡＴ更新書き込み（ステップＳ４０６）が実行され、記憶媒体１０５へ書き込みが完了した時点で、記憶媒体への書き込み管理情報８０３は、バックアップ無効状態となる。また、画像ファイルのクローズ処理時に、ディレクトリエントリの記憶媒体Ｉ０５への書き込み（ステップＳ４１１）が開始される時点で、記憶媒体への書き込み管理情報８０３は、書き込み中状態となり、ＦＡＴ読み込み領域８０１とディレクトリ管理領域８０２がバックアップされた状態となる。
【００６４】
ＦＡＴ更新書き込み（ステップＳ４１２）が実行され、記憶媒体１０５へ書き込みが完了した時点で、記憶媒体への書き込み管理情報８０３は、バックアップ無効状態となる。
【００６５】
記憶媒体１０５へのディレクトリエントリ書き込み状態（ステップＳ４０５／ステップＳ４１１）や、ＦＡＴ更新書き込み（ステップＳ４０６／ステップＳ４１２）の状態で、撮像装置の使用者が誤って、記憶媒体１０５を取り外してしまった場合や、電源を抜いてしまった場合などに、再度起動した時に、記憶媒体１０５が交換されていないことを認識し、記憶媒体への書き込み管理情報８０３に基づいて、記憶媒体１０５へＦＡＴ読み込み領域８０１からの書き込み、ディレクトリ管理領域８０２からの書き込みを行うことにより、ファイルシステムの破壊を防止することが可能となる。
【００６６】
このような構成では、バックアップ可能なメモリ８００は、画像データ領域８１０に比べて小さい容量ですむため、バックアップのために消費する電力も少なくてすむ利点が得られる。
【００６７】
（本発明の他の実施の形態）
本発明は複数の機器（例えば、ホストコンピュータ、インタフェース機器、リーダ、プリンタ等）から構成されるシステムに適用しても１つの機器からなる装置に適用しても良い。
【００６８】
また、上述した実施の形態の機能を実現するように各種のデバイスを動作させるように、上記各種デバイスと接続された装置あるいはシステム内のコンピュータに対し、上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６９】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７０】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００７１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００７２】
【発明の効果】
本発明は上述したように、本発明によれば、第１の記憶手段に格納された画像データに基づいて、第２の記憶手段へ画像データを実際に格納する場合の管理情報を更新して、上記更新された管理情報をファイル管理領域に書き込むようにして、撮影された画像に対するファイルの管理情報を優先して記憶媒体に書き込むようにしたので、いかなる状態において撮影を実行しても、ファイルシステムの管理情報を更新が撮影直後に行われるので、使用者による記憶媒体の取り外しや、電源を抜いてしまう不測の事態が発生しても、撮影後のなるべく短時間の間に最低限ファイルシステムを保護することができる。これにより、既に撮影済みの画像データがアクセス不可能になることを極力避けることができ、ファイルシステムの安全性を高めることができる。また、第１の記憶手段に格納された画像データに基づいて、第２の記憶手段へ画像データを実際に格納する場合の管理情報を更新するので、最終的なＦＡＴデータ（管理情報）と同等のデータを、本画像データの書き込み前に記録することが出来る。つまり、本画像データを書き込むための記憶容量を正確に決定することができ、本画像データを書き込むための記憶容量を予想して多めに確保しておく無駄を無くすことができる。
【００７３】
また、本発明の他の特徴によれば、上記第１の記憶手段に複数の画像データが存在する時には、上記第２の記憶手段に対して未書き込みな画像データ本体部分が存在しても、新たに作成された画像データのファイル管理情報の書き込みを優先させ、ファイル管理情報の書き込みが完了してから、残りの未書き込みな画像データ本体部分を書き込むようにしたので、ファイルシステムの安全性を高めることができるとともに、画像データ本体部分の書き込み速度を向上させることができる。
【００７４】
また、本発明の他の特徴によれば、画像データのファイル管理情報を第２の記憶手段に書き込みを行っている途中で停電状態となった時に、上記画像データのファイル管理情報を保持しておくことが可能となり、次回電源を投入した時に、上記第２の記憶手段が交換されていない場合には、上記第３の記憶手段に格納された上記画像データのファイル管理情報を、上記第２の記憶手段の所定位置に書き込むことが可能となり、電源が抜かれてしまうことによりファイルシステムが破壊されることを防止することができる。
【図面の簡単な説明】
【図１】本発明の実施の形態を示し、撮像装置の腰部構成を示すブロック図である。
【図２】実施の形態で使用している記憶媒体の内部データ構造の一例を示す図である。
【図３】一般的な撮像装置における撮影処理を行うタスクのフローチャートである。
【図４】本発明の実施の形態における記憶媒体へのファイル書き込みの流れを示フローチャートである。
【図５】本発明の実施の形態における複数画像の記憶媒体へのファイル書き込みのタイミング及び処理手順を示すフローチャートである。
【図６】本実施の形態における複数画像の記憶媒体へのファイル書き込みのタイミング及び処理手順を示した説明図である。
【図７】記憶媒体へのファイル書き込みの流れを示したフローチャートである。
【図８】一般的な複数画像の記憶媒体へのファイル書き込みのタイミング及び処理手順を示した説明図である。
【図９】本発明の第２の実施の形態における主メモリの構成を示した図である。
【符号の説明】
１００　撮像装置
１０１　撮像素子
１０２　Ａ／Ｄ変換器
１０３　デジタル信号処理手段
１０４　主メモリ
１０５　着脱可能な記憶媒体
１０６　ＣＰＵ（中央演算処理装置）
１１０　画像データ
１１１　画像データファイル
２００　記憶媒体
２１０　管理領域
２１１　ＦＡＴ（Ｆｉｌｅ　Ａｌｌｏｃａｔｉｏｎ　Ｔａｂｌｅ）領域
２１２　ルートディレクトリ
２２０　クラスタ領域
２２１　クラスタ領域
５１０　連続した書き込みのタイミング
５２０　画像データ書き込み中に撮影を行ったときのタイミング
８００　バックアップ可能メモリ
８０１　ＦＡＴ読み込み領域
８０２　ディレクトリ管理領域
８０３　記憶媒体への書き込み管理情報
８１０　画像データ領域
【図１】
2004007731.tif 000003
【図２】
2004007731.tif 000004
【図３】
2004007731.tif 000005
【図４】
2004007731.tif 000006
【図５】
2004007731.tif 000007
【図６】
2004007731.tif 000008
【図７】
2004007731.tif 000009
【図８】
2004007731.tif 000010
【図９】
2004007731.tif 000011